Podtech/llm-jp-corpus-v4-ja_patent huggingface dataset:
(57)【要約】【課題】従来、歯を磨く時、ハブラシに、ハミガキ剤を付け難く、付けても、落ちたり、口の中で外れたりして、有効な歯ミガキができない。【解決手段】ハブラシにハミガキ剤密着用の溝を付けて構成した。  これにより、ハミガキ剤が、ハブラシに確実に密着する。  したがって、常に、ハミガキ剤は歯に、ハブラシと共に当るので、歯を効果的に磨くことができる。【選択図】図１
2018011917.tif 000002
【特許請求の範囲】
【請求項１】
歯ブラシに、ハミガキ密着用凹みを形成したことを特徴とするハミガキ密着用凹み付き歯ブラシ。
【請求項２】
凹みは、中央、前方または後方に、また、Ｖ溝を形成したことを特徴とする請求項１記載のハミガキ密着用凹み付き歯ブラシ。
【請求項３】
凹みは、平面的に見て、丸孔か角孔、または楕円孔を形成し、凹みの底は平面状か球面状に形成したことを特徴とする請求項１記載のハミガキ密着用凹み付き歯ブラシ。
【請求項４】
前記Ｖ溝に代えて、横方向に直線状の平溝を形成したことを特徴とする請求項２記載のハミガキ密着用凹み付き歯ブラシ。
【発明の詳細な説明】
【技術分野】
【０００１】  本発明は、ハミガキ密着用凹み付き歯ブラシに関する。
【背景技術】
【０００２】  従来、歯ミガキ時、歯ブラシに付けたハミガキが落ちたり、口の中で外れたりして、有効なハミガキができない。
【発明の概要】
【発明が解決しようとする課題】
【０００３】  歯ミガキ時、付けたハミガキが落ちたり、口の中で外れないようにしたものである。
【課題を解決するための手段】
【０００４】  歯ブラシに、ハミガキ密着用の凹みを形成し、該凹みは図２のように中央、図４のように前方または後方に、また、図５のようにＶ溝を形成したものである。【０００５】  なお、凹みは、平面的に見て、丸孔か角孔、または、楕円孔を形成し、凹みの底は平面状か球面状に形成してもよい。
また、凹みやＶ溝を形成すると、その分だけ、歯ブラシの表面積が減じ、歯ミガキ効果が減ずるので、歯ブラシを巾広く、また、長めに形成すれば、歯ミガキ必要上の表面積を確保することができる。
【発明の効果】
【０００６】  本発明は、上記のように形成したので、歯ミガキ時、ハミガキが歯ブラシの凹み、またはＶ溝に確実に密着する。
したがって、歯ブラシを口の中に入れる前、入れても外れず、ハミガキが歯ブラシと共に歯に直接当るので、歯ミガキを効果的にすることができる。
また、このとき、ハミガキが床やマット上や洗面台に落ちないので、衛生的であると共に掃除の手間を著しく省くことができる。
【図面の簡単な説明】
【０００７】  本発明の構造を分りやすくするため、歯ブラシを一体化して表した
【図１】  図２の正面図
【図２】  図１の平面図
【図３】  図１の左側面図
【図４】  凹みを前方に形成した図
【図５】  図６の平面図
【図６】  図５の正面図
【発明を実施するための形態】
【０００８】  図中３は、歯ブラシ１に形成したハミガキ２密着用の凹みで、該凹み３は歯ブラシ１の中央か前方または後方に形成すると共に凹み３は平面的に見て、丸孔か角孔、または楕円孔を形成し、凹み３の底は平面状か球面状に形成する。４は歯ブラシ１に形成したＶ溝であるが、これに代えて、横方向に直線状の平溝を形成してもよい。
【符号の説明】
【０００９】１  歯ブラシ        ４  Ｖ溝
２  ハミガキ
３  凹み
【図１】
2018011917.tif 000003
【図２】
2018011917.tif 000004
【図３】
2018011917.tif 000005
【図４】
2018011917.tif 000006
【図５】
2018011917.tif 000007
【図６】
2018011917.tif 000008
【手続補正書】
【提出日】平成28年12月12日(2016.12.12)
【手続補正１】
【補正対象書類名】明細書
【補正対象項目名】全文
【補正方法】変更
【補正の内容】
【発明の詳細な説明】
【技術分野】
【０００１】  本発明は、ハミガキ剤密着用溝付きハブラシに関する。
【背景技術】
【０００２】  従来、歯を磨く時、ハブラシに、ハミガキ剤を付け難く、付けても、落ちたり、口の中で外れたりして、有効な歯ミカキができない。
【発明の概要】
【発明が解決しようとする課題】
【０００３】  歯ミガキ時、ハブラシに、ハミガキ剤を付けやすく、外れないようにすることを目的とする。
【課題を解決するための手段】
【０００４】ハブラシの長手方向に、Ｖ溝を形成するか、横方向に横溝を形成したものである。
なお、Ｖ溝や横溝を形成すると、その分だけ、ハブラシの表面積が減ずるので、ハブラシを巾広く、また、長めに形成してもよい。
【発明の効果】
【０００５】  本発明は、上記のように構成したので、歯ミガキ時、ハミガキ剤をＶ溝に、横方向から付けやすく。付けたハミガキ剤はＶ溝の角に食い込むので外れない。
したがって、ハミガキ剤は歯に、ハブラシと共に当るので、歯を効果的に磨くことができる。
なお、横溝は製作しやい効果がある。
また、ハミガキ剤が床上、マット、洗面台上に落ちないので、掃除の手間を省くことができる。
【図面の簡単な説明】
【０００６】  本発明の構造を分りやすくするため、ハブラシを一体化して表した
【図１】図２の平面図
【図２】図１の正面図
【図３】図４の平面図
【図４】図３の正面図
【発明を実施するための形態】
【０００７】３はハブラシ１に形成したＶ溝で、ハミガキ剤２を付けやすくしている。
４はＶ溝に代えて形成した横溝で、加工しやすくしている。
【符号の説明】
【０００８】      １  ハブラシ
２  ハミガキ剤
３  Ｖ溝
４  横溝
【手続補正２】
【補正対象書類名】特許請求の範囲
【補正対象項目名】全文
【補正方法】変更
【補正の内容】
【特許請求の範囲】
【請求項１】
ハブラシの長手方向に、Ｖ溝を形成したことを特徴とするハミガキ剤密着用溝付きハブラシ。
【請求項２】
ハブラシの横方向に、横溝を形成したことを特徴とするハミガキ剤密着用溝付きハブラシ。
【手続補正４】
【補正対象書類名】図面
【補正対象項目名】全図
【補正方法】変更
【補正の内容】
【図１】
2018011917.tif 000009
【図２】
2018011917.tif 000010
【図３】
2018011917.tif 000011
【図４】
2018011917.tif 000012
【手続補正書】
【提出日】平成29年3月14日(2017.3.14)
【手続補正１】
【補正対象書類名】特許請求の範囲
【補正対象項目名】請求項２
【補正方法】削除
【補正の内容】
【手続補正書】
【提出日】平成29年5月3日(2017.5.3)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ハブラシの長手方向に、Ｖ溝を形成したことを特徴とするハミガキ剤密着用溝付きハブラシ。
(57)【要約】【課題】台所のごみ容器内での食品の腐敗を防止して、不快なにおいの発生をなくすために、抗菌力を有し、安全性が高く、且つごみ容器内に徐々に飛散する化合物を応用して、抗菌力による消臭効果が持続する消臭剤が望まれた。【解決手段】抗菌力を有する化合物としてチモールを選択する。チモールの飛散をより持続させるための溶剤を配合し、そのチモールを含む配合液を基材に含浸し、簡単な包装を施し、容易な使用手順のごみ容器消臭剤を調製する。【選択図】なし【特許請求の範囲】
【請求項１】
チモールを溶剤に溶かし、フェルト基材に含浸し、不織布袋に入れ、ごみ容器の蓋内側に取り付けて使用することを特徴とするごみ容器チモール消臭剤。
【請求項２】
チモールを溶かす溶剤は、高級アルコール、植物油及び液体界面活性剤であることを特徴とする請求項１記載のごみ容器チモール消臭剤。
【請求項３】
香料を添加する場合があることを特徴とする請求項１記載のごみ容器チモール消臭剤。
【発明の詳細な説明】
【技術分野】
【０００１】本発明は、台所のごみ容器から発生する不快なにおいを防止する消臭剤を提供する。
【背景技術】
【０００２】従来のごみ容器の消臭については、消臭剤噴射装置を組み込んだごみ容器の使用、又は、オゾン供給装置をセットした作業台などの使用であり、特製の器具又は器機の使用を必要とするものある。【０００３】従来のごみ容器消臭剤で、チモールの抗菌力を応用したものはない。【０００４】従来のごみ容器消臭剤で、処方が簡単で、剤型も簡単で、使用手順も簡単なものはない。【０００５】消臭剤をごみ容器内に噴射する手法としては、例えば特許文献１があるが、特製噴射器機をごみ容器にセットしている。特許文献２はにおいの発散を抑えるためのごみ容器に装着する消臭カバー体であり、特許文献３はオゾン供給装置を組み込んだキッチンの作業台であり、実用新案文献４は特製のごみ容器と蓋を必要とし、又実用新案文献５はごみ収納スペース付キッチン台であり、他方チモールの抗菌力を応用した持続性のあるごみ容器消臭剤はない。
【先行技術文献】
【特許文献】
【０００６】
【特許文献１】特許公開２００１−００２２０２
【特許文献２】特許公開２０００−２３８９０２
【特許文献３】特許公開平０７−１８７３０４
【実用新案文献４】
公開実用新案平０１−１３４６０６
【実用新案文献５】
公開実用新案昭６２−１３６８３８
【発明の概要】
【発明が解決しようとする課題】
【０００７】台所で使用しているごみ容器からの不快なにおいを防止する必要がある。【０００８】におい発生の原因は、食品の腐敗であり、この腐敗を防止する必要がある。【０００９】そこで、ごみ容器内での食品の腐敗を防止し、特殊な器具などを必要とせず、且つ効果が持続するごみ容器消臭剤が望まれた。
【課題を解決するための手段】
【００１０】かかる実情において本発明者らは、上記課題を解決すべく鋭意研究を重ねた結果、抗菌力を有し、安全性が高く、効果の持続性がある化合物として、チモールを選択し、これに更に持続性を高める溶剤を配合し、簡単な剤型に成形したごみ容器チモール消臭剤を開発し、上記課題を解決することを見出し、本発明を完成するに至った。
【発明の効果】
【００１１】本発明により、使用が容易で、持続性のあるごみ容器消臭剤が提供できる。
【発明を実施するための形態】
【００１２】以下本発明を詳細に説明する。
本発明に用いられる抗菌力を有する化合物はチモールである。
【００１３】本発明に用いられる溶剤は、高級アルコール、植物油及び液体界面活性剤である。
【００１４】本発明に用いられる香料は、天然精油、合成香料及び調合香料である。
【００１５】本発明に用いられる基材は、フェルトである。
【００１６】本発明に用いられる袋は、不織布製である。
【００１７】本発明のごみ容器消臭剤は、容器の蓋内側に固定して使用されるものである。
【実施例】
【００１８】以下に本発明の実施例を示し、本発明を詳細に説明するが、本発明はこれらの実施例によって限定されるものではない。【００１９】実施例１
チモール１ｇをオクチルドデカノール１ｇに溶かし、これを紙パルプ製フェルト（厚さ１ｍｍ、１０ｃｍ四方）に含浸させる。これをポリプロピレン製不織布袋に入れ、台所ごみ容器（２０Ｌ）の蓋内側に両面テープで固定する。この容器を通常の台所使用として、１か月間用いた結果、食品腐敗由来の不快なにおいの発生は認められなかった。【００２０】実施例２
チモール１ｇをホホバ油２ｇに溶かし、これをポリプロピレン製フェルト（厚さ２ｍｍ、５ｃｍ四方）に含浸させる。これをポリプロピレン製不織布袋に入れ、台所ごみ容器（４５Ｌ）の蓋内側に両面テープで固定する。この容器を通常の台所使用として、１か月間用いた結果、食品腐敗由来の不快なにおいの発生は認められなかった。【００２１】実施例３
チモール２ｇを液体ポリオキシエチレン硬化ヒマシ油５ｇに溶かし、これを紙パルプ製フェルト（厚さ２ｍｍ、１０ｃｍ四方）に含浸させる。これをポリプロピレン製不織布袋に入れ、台所ごみ容器（２０Ｌ）の蓋内側に両面テープで固定する。この容器を通常の台所使用として、２か月間用いた結果、食品腐敗由来の不快なにおいの発生は認められなかった。【００２２】実施例４
チモール２ｇとバラ香料１ｇをオクチルドデカノール２ｇと液体ポリオキシエチレンソルビタン脂肪酸エステル２ｇに溶かし、これを紙パルプ製フェルト（厚さ２ｍｍ、１０ｃｍ四方）に含浸させる。これをポリプロピレン製不織布袋に入れ、台所ごみ容器（２０Ｌ）の蓋内側に両面テープで固定する。この容器を通常の台所使用として、２か月間用いた結果、食品腐敗由来の不快なにおいの発生は認められなかった。
(57)【要約】【課題】  対戦型トレーディングカードゲームは単一の商品でも複数の言語で発売されているが、外国語の学習を行うためのものとして利用することはこれまでみられておらず、学習教材分野においてもカードはクイズ形式をとるものがあるが、娯楽の要素をあまり持たない学習補助具としてしか使っていなかった。【解決手段】  本発明は数枚から数十枚の外国語で書かれた対戦型トレーディングカードゲーム用のカードと、前記外国語で書かれたカードの文章を理解するために外国語に対する母国語の対訳付き用語集と、前記カードに書かれた文章の翻訳が載った構文集とを１セットにして、前記用語集で調べた用語を構文集に照らし合わせることで外国語の文の構造を読み解いて遊ぶ対戦型トレーディングカードゲームを提供するものである。【選択図】図１
2018011912.tif 000002
【特許請求の範囲】
【請求項１】
数枚から数十枚の外国語で書かれた対戦型トレーディングカードゲーム用のカードと、前記外国語で書かれたカードの文章を理解するために外国語に対する母国語の対訳付き用語集と、前記カードに書かれた文章の翻訳が載った構文集とを１セットにして、前記用語集で調べた用語を構文集に照らし合わせることで外国語の文の構造を読み解いて遊ぶ対戦型トレーディングカードゲーム。
【発明の詳細な説明】
【技術分野１】
【０００１】  対戦型トレーディングカードゲームの品詞は約５０〜９０種類と少ない。本発明は品詞が少ないことを利用して外国語で書かれた数枚から数十枚のカードを、▲１▼トレーディングカードゲーム用の母国語の対訳付きの用語集と▲２▼カードの効果の文章の翻訳が載った構文集を見ながら翻訳し、翻訳したカードを対戦型トレーディングカードゲームとしてプレイすることで外国語の文の構造を学習することに関する。
【０００２】  外国語の文の構造をより理解するために、単語を少なくなるようルールや用語を調整した対戦型トレーディングカードゲームを提供することに関する。
【背景技術】
【０００３】  対戦型トレーディングカードゲームは数十枚のカードの束を用い、モンスターカードやマジックカード等で攻防を繰り返し、勝利条件を満たすことを目的として勝敗を競う。【０００４】  対戦型トレーディングカードゲームのカードは名称に合わせてそれぞれ異なった能力値や効果の文章が数字や文章などで表記されている。ひとつのトレーディングカードゲームには通常、何百種類という数のカードが存在する。
【特許文献１】  ＣＡ２１２８６３４Ｃ
【非特許文献１】  Ｗｉｋｉｐｅｄｉａのトレーディングカードゲームの項目
【発明の開示】
【発明が解決しようとする課題】
【０００５】  対戦型トレーディングカードゲームは単一の商品でも複数の言語で発売されているが、外国の学習を行うためのものとして利用することはこれまでにみられていない。【０００６】  学習教材分野においてカードはクイズ形式をとるものがあるが、娯楽の要素をあまり持たない学習補助具としてしか使えなかった。
【課題を解決するための手段】
【０００７】  本発明は外国語で書かれたカード［図１］の効果の文章の部分を▲１▼母国語の対訳付きのトレーディングカードゲーム用語がのった用語集［図２］、▲２▼カードの効果の文章の母国語の対訳が載った構文集［図３］の２つを見ながら翻訳する。翻訳したカードをどのタイミングで、どのように使えばいいか対戦型トレーディングカードゲームとして遊ぶことで楽しみながら外国語の文の構造を体験する。
【図面の簡単な説明】
【０００８】
【図１】外国語で書かれた３種類のカードの平面図である。
【図２】トレーディングカードゲーム用語がのった日本語の対訳付きの英語の用語集の１例である。
【図３】カードの効果の文章の翻訳が載った構文集の１例である。
【図４】本トレーディングカードゲームのゲーム開始時の場面であり、プレイヤーと対戦相手が向かい合っている状況である。
【図５】開始直後にカードを任意の枚数を引いて、手札にした場面である。
【図６】図１Ａのカードを場に出してカードに書かれた文章（例文１）に従って、デッキからカードを１枚引こうとしている場面である。
【実施例】
【０００９】  外国語で書かれたカード図１Ａの効果の文章を翻訳する。
下記の例文１をもとに翻訳の流れを以下に示す。
例文１  Ｗｈｅｎ  ｔｈｉｓ  ｃａｒｄ  ｔｈｅ  ｅｎｔｅｒ  ｆｉｅｌｄ  ｆｒｏｍ  ｙｏｕｒ  ｈａｎｄ，ｙｏｕ  ｃａｎ  ｄｒａｗ  １  ｃａｒｄ  ｆｒｏｍ  ｔｏｐ  ｏｆ  ｙｏｕｒ  ｄｅｃｋ．
▲１▼トレーディングカードゲーム用語がのった母国語の対訳付きの用語集［図２］から単語の意味を調べる。例えば、『ｃａｒｄ』、『ｄｒａｗ』の場合、それぞれ、『カード』、『カードをデッキから引く』という意味が分かる。
▲２▼品詞と翻訳が載った構文集［図３］と文法集を見ながら▲１▼で調べた単語を構文に当てはめていくようにカードの効果を理解していく。例えば、『Ｙｏｕ  ｃａｎ＋動詞＋名詞』に『ｃａｒｄ』と『ｄｒａｗ』を当てはめていくことで『あなたはカードを引くことができる』と翻訳できる。他の部分も同じように当てはめていくことで翻訳例１のように翻訳することができる。
翻訳例１  このカードが手札から場に出た時、あなたのデッキの１番上からカードを１枚ドローする。
▲３▼所持している全てのカードに対して▲１▼・▲２▼を行って、［図４］に示すように戦略をたてながらデッキ（カードが数十枚重なった束）を構築する。
▲４▼［図５］に示すように互いのプレイヤーはゲーム開始時にデッキの上から、カードを任意の枚数引いてゲームを始める。
▲５▼［図６］の図１Ａのカードを場に出した場合は、前記例文１の文章に従って［図６］の▲２▼のようにプレイヤーはデッキからカードをもう１枚引くことができる。
カードをどのタイミングで、どのように使えばいいか対戦型トレーディングカードゲームとしてプレイすることで楽しみながら外国語の文の構造を学習する。
【発明の効果】
【００１０】  翻訳したカードを対戦型トレーディングカードゲームとして遊ぶことで楽しみながら学習することができる。繰り返し遊ぶことで用語集や構文集を確認しなくてもカードの文章の外国語を読むことができるようなり、外国語の文の構造を学習することができる。
【００１１】  対戦型トレーディングカードゲームと外国語の学習は全く異なる分野である。対戦型トレーディングカードゲームに使用する単語は約５０〜９０種類と少ない事から外国語の文の構造の学習が容易になる。
【図１】
2018011912.tif 000003
【図２】
2018011912.tif 000004
【図３】
2018011912.tif 000005
【図４】
2018011912.tif 000006
【図５】
2018011912.tif 000007
【図６】
2018011912.tif 000008
(57)【要約】【課題】  この発明は、種々の振動特性を備えたマウスピースを得ることにより、演奏者が好み又は曲想ににあった振動特性を備えたマウスピースを使用することができるようにし、演奏レベルの向上を図ることを課題とするものである。【解決手段】  この発明は、金管楽器用のマウスピースにおいて、リム１とシャンク３の間の部分の断面形状を真円以外の形状とすることにより、上記課題を解決するものである。【選択図】 図２
2018045258.tif 000002
【特許請求の範囲】
【請求項１】
金管楽器用のマウスピースにおいて、リムとシャンクとの中間に、真円以外の外周断面形状を有する部分を備えた、金管楽器用のマウスピース。
【請求項２】
請求項１に記載の金管楽器用のマウスピースにおいて、真円以外の外周形状を、断面多角形、断面楕円形又は外周面に凹凸を形成した形状の何れかとした、金管楽器用のマウスピース。
【請求項３】
請求項１又は２に記載の金管楽器用のマウスピースにおいて、リムの外周形状を、リムカンター部を真円とし、シャンク側を断面多角形とした、金管楽器用のマウスピース。
【発明の詳細な説明】
【技術分野】
【０００１】
この発明は、トランペット等の金管楽器に取り付けて使用されるマウスピースに関するものである。
【背景技術】
【０００２】
金管楽器の演奏においては、演奏者の唇の振動がマウスピース内の空気を伝わって楽器本体を共鳴させて大きな音を発するが、マウスピース自体の振動も楽器本体の共鳴に寄与していることはよく知られている。
しかしながら、従来におけるマウスピースの改良に関する提案の多くは、マウスピース内面の構造に係るものであり、外周形状に関する提案は以下の特許文献程度であって、殆ど存在しない。
特開２００８−１５２０１５号公報（特許文献１）にはリム部のリムカンター側の外周形状を楕円形にしたものが開示されているが、これはリム部の内周形状を楕円形としたことによるものである。特開２０１０−２６１１１号公報（特許文献２）には、リムとシャンクとの間の外周面に溝を設けた構造が開示され、実開平５−４７９９４号公報（特許文献３）にはリムの外周面に環状凸部を設けた構造が開示されているが、いずれも該当部分の断面形状は真円である。
【先行技術文献】
【特許文献】
【０００３】
【特許文献１】特開２００８−１５２０１５号公報
【特許文献２】特開２０１０−２６１１１号公報
【特許文献３】実開平５−４７９９４号公報
【発明の概要】
【発明が解決しようとする課題】
【０００４】
上記のように、従来のマウスピースは外周の断面形状の変化に乏しく、そのためにマウスピース自体の振動を、演奏者が好みに応じて選択することが難しかった。
この発明は、種々の振動特性を備えたマウスピースを得ることにより、演奏者が好み又は曲想ににあった振動特性を備えたマウスピースを使用することができるようにし、演奏レベルの向上を図ることを課題とするものである。
【課題を解決するための手段】
【０００５】
この発明は、金管楽器用のマウスピースにおいて、リムとシャンクの間の部分の断面形状を真円以外の形状とすることにより、上記課題を解決するものである。
具体的には、リムとシャンクとの間において、真円以外の外周断面形状、例えば断面多角形、断面楕円形又は外周面に凹凸を形成した形状など、を有する部分を備えて（請求項１．２）、金管楽器用のマウスピースを構成するものである。
請求項１の構成又は請求項２の構成に加えて、リムカンター部を真円とし、シャンク側を断面多角形としてもよい。また、外周の断面形状は中心軸を通過する面において非対称であることが好ましい。
【発明の効果】
【０００６】
この発明によれば、外周の断面形状を適宜選択することにより種々の振動特性を有するマウスピースを得ることができる。したがって、演奏者が好み又は曲想ににあった振動特性を備えたマウスピースを使用することが可能となり、演奏レベルの向上を図ることができる。
副次的な効果として、外周の断面形状が真円ではないために、マウスピースを楽器本体に着脱する際に滑りにくくなり、また演奏中の照明が多様な反射をするので、マウスピースの装飾性を高めることにもなる。
【図面の簡単な説明】
【０００７】
【図１】マウスピースの部位名称を示す断面図
【図２】この発明実施例１の斜視図
【図３】この発明実施例２の斜視図
【図４】この発明実施例３の斜視図
【図５】この発明実施例４の斜視図
【図６】この発明実施例５の斜視図
【発明を実施するための形態】
【０００８】
図１はトランペット用のマウスピースＡの断面図であり、符号１はリム、２は演奏者の唇が接触するリムカンター、３はトランペット本体に挿入されるシャンクである。この発明では、リム１におけるリムカンター２以外の部分の外周形状を断面多角形し、又はリム１とシャンク３との間のカップ状部分４の外周形状を真円以外、例えば断面多角形、断面楕円形又は外周面に凹凸を形成した形状などとするものである。
【実施例１】
【０００９】
マウスピースＡのリム１は、リムカンター２以外の部分を含めてどの位置も断面真円とし、カップ状部分４を断面７角形としたものである（図２参照）。
【実施例２】
【００１０】
マウスピースＡのリム１において、リムカンター２以外の部分をリムカンター２の外径に収まる断面７角形に形成し、カップ状部分４も断面７角形としたものである（図３参照）。
【実施例３】
【００１１】
マウスピースＡのリム１において、リムカンター２以外の部分に断面７角形のフランジを形成し、カップ状部分４の表面に多数の凹凸を形成したものである（図４参照）。断面７角形の部分は実施例２のようにリムカンター２の外径に収まる大きさとしてもよい。
【実施例４】
【００１２】
マウスピースＡのリム１において、リムカンター２以外の部分に断面７角形のフランジを形成し、カップ状部分４を断面楕円形としたものである（図５参照）。断面７角形の部分は実施例２のようにリムカンター２の外径に収まる大きさとしてもよい。
【実施例５】
【００１３】
マウスピースＡのリム１において、リムカンター２以外の部分に断面７角形のフランジを形成し、カップ状部分４は表面をダイヤモンドカット状の多面体としたものである（図６参照）。断面７角形の部分は実施例２のようにリムカンター２の外径に収まる大きさとしてもよい。
【産業上の利用可能性】
【００１４】
この発明は、マウスピースの外周の断面形状を真円以外とすることにより、固有の振動が異なる多種類のマウスピースを得ることができるものであって、産業上の利用可能性を有するものである。
【符号の説明】
【００１５】
Ａ    マウスピース
１    リム
２    リムカンター
３    シャンク
４    カップ状部
【図１】
2018045258.tif 000003
【図２】
2018045258.tif 000004
【図３】
2018045258.tif 000005
【図４】
2018045258.tif 000006
【図５】
2018045258.tif 000007
【図６】
2018045258.tif 000008
(57)【要約】【課題】    災害時の備えの一環として、懐中電灯が使いやすいように腕に固定できる腕時計型懐中電灯を提供する。【解決手段】    懐中電灯（１）に紐（２）を設け、その紐の片一方に角カン（３）を設け、もう一方にマジックテープ（４）を設けた腕時計型懐中電灯を特徴とする。【選択図】図１
2018045983.tif 000002
【特許請求の範囲】
【請求項１】
懐中電灯（１）に紐（２）を設け、紐の片一方に角カン（３）を設け、もう一方の紐の表面にマジックテープ（４）を設けた腕時計型懐中電灯。
【発明の詳細な説明】
【技術分野】
【０００１】  この発明は、懐中電灯に角カンとマジックテープがついた紐を取り付けた腕時計型懐中電灯に関するものである。
【背景技術】
【０００２】  従来、懐中電灯は、手で持つか、頭部にかけていた。
【先行技術文献】
【特許文献】
【０００３】
【特許文献１】
【発明の概要】
【発明が解決しようとする課題】
【０００４】  これは、次のような欠点があった。
従来、懐中電灯を就寝中の備えとして、枕元か、その周辺に置いて寝るが、突発的な地震等の災害があると、見つけにくく、困ることが多かった。
本発明は、このような欠点をなくすためになされたものである。
【課題を解決するための手段】
【０００５】  懐中電灯（１）に紐（２）を設け、その紐の片一方に角カン（３）を設け、もう一方にマジックテープ（４）を設ける。
本発明は、以上の構成よりなる腕時計型懐中電灯である。
【発明の効果】
【０００６】  この懐中電灯を腕につけて就寝することにより、突発的な地震等の災害の際、探す手間が省け、瞬時に明かりをつけることができる。
【図面の簡単な説明】
【０００７】
【図１】  本発明の正面図である。
【図２】  本発明の背面図である。
【発明を実施するための形態】
【０００８】  以下、本発明を実施するための形態について説明する。
懐中電灯（１）に紐（２）を設ける。紐の片一方に角カン（３）を設ける。紐のもう一方の表面にマジックテープ（４）を設ける。
腕に懐中電灯（１）をのせ、マジックテープ（４）がついた紐を角カン（３）に通して腕に固定する。
本発明は、以上のような構造である。
これを使用する時は、懐中電灯を腕に固定して就寝することにより、地震等の突発的な災害の際、瞬時に明かりをつければいい。
【符号の説明】
【０００９】  １  懐中電灯
２  紐
３  角カン
４  マジックテープ
【図１】
2018045983.tif 000003
【図２】
2018045983.tif 000004
(57)【要約】【課題】従来の充電式のニッケル水素電池やリチウム電池といった化学電池を充電する方法は充電用電源装置が必ず必要であった。【解決手段】充電式のニッケル水素電池やリチウム電池といった化学電池に発電用の永久磁石で構成された磁力発電装置を取り付けることにより従来からある充電用電源装置を用いることなく発電・充電を行う。【選択図】図２
2018045984.tif 000002
【特許請求の範囲】
【請求項１】
充電式のニッケル水素電池やリチウム電池といった化学電池に発電用の永久磁石で構成された磁力発電装置を取り付けることにより従来からある充電用電源装置を用いることなく発電・充電を行う。
【発明の詳細な説明】
【技術分野】
【０００１】本発明は永久磁石の磁力により充電式のニッケル水素電池やリチウム電池といった化学電池に発電を促して充電する装置に関するものである。
【背景技術】
【０００２】従来より充電式のニッケル水素電池やリチウム電池といった化学電池をワイヤレス充電器により充電するといった方法があったが、その充電を行うためには必ず充電用の電源が必要であった。
【先行技術文献】
【特許文献】
【０００３】
【特許文献１】特開２０１２−１９１１３４
【０００４】
【発明の概要】
【発明が解決しようとする課題】
【０００５】従来の充電式のニッケル水素電池やリチウム電池といった化学電池を充電する方法は充電用電源装置が必ず必要であった。本発明はこの欠点を除くためになされたものである。
【課題を解決するための手段】
【０００６】充電式のニッケル水素電池やリチウム電池といった化学電池に発電用の永久磁石で構成された磁力発電装置を取り付けることにより従来からある充電用電源装置を用いることなく発電・充電を行う。
【発明の効果】
【０００７】本発明は発電用の永久磁石で構成された磁力発電装置をニッケル水素電池やリチウム電池といった化学電池に取り付けることによりその永久磁石の磁力により電池内部の発電を促して充電するという効果がある。
【図面の簡単な説明】
【０００８】
【図１】充電可能な空の化学電池に磁力発電装置を装着した斜視図。
【図２】磁力発電装置の斜視図と磁力線方向
【発明を実施するための最良の形態】
【０００９】棒状の化学電池を一対の棒磁石のＮ極とＳ極が互いに向かい合うように挟むことができるように配置された装置
【実施例】
【００１０】以下本発明の実施例について説明する。本発明の磁力発電装置を充電可能な化学電池に装着して発電・充電を繰り返して電力を必要としている機器に常態的に電力供給を行う。
【産業上の利用可能性】
【００１１】電力を常態的に供給することが難しい人工衛星などの電力供給用装置として利用できる可能性がある。
【符号の説明】
【００１２】１  磁力発電装置
２  永久磁石
３  プラスチック容器
４  充電可能な化学電池
５  磁力
６  電池の正極
７  電池の負極
８  磁石のＮ極
９  磁石のＳ極
【図１】
2018045984.tif 000003
【図２】
2018045984.tif 000004
(57)【要約】【課題】技術の進歩により低消費電力で高輝度のＬＥＤを用いた照明やモニター画面が普及する一方で、長時間の使用で目の疲れを引き起こし、特に夜間において強い光に暴露された状態が続くと体内時計や自律神経が乱れ、睡眠障害などの健康被害をもたらす可能性が指摘されている。光量を落とすため、従来のランプシェードを間接照明用に交換するには、高所で工具を用いた作業を要し、固定された傘では直接照明への切り替えや光量の調整などは困難であった。【解決手段】直接照明から間接照明またはその逆に容易に切り替えられる機能を付加した、取り付け簡単なランプシェードを提供する。またランプシェードの傘部分のみの取り換えも容易に行え、光の透過度などが異なる傘を二重以上に設置もでき、それぞれを回転・変形させて使用することで、輝度調整をはじめ、デザイン、模様などで光の演出を可能とした。【選択図】図１
2018045982.tif 000002
【特許請求の範囲】
【請求項１】
２本で一対の支柱（１）の両端に、ピンチ（３）と前記ピンチ（３）のつまみ部分にピン（４）を取り付け、支柱（１）の中央部には滑り止め（２）を備えたクリップ状のランプシェードの骨組み部および、前記骨組み部のピン（４）に取り付けることができるピンホール（７）を備えた傘（６）と、前記傘（６）が２つで一対として形成される場合、傘（６）両端の接合部を密着させるための対極一対の磁石（８）からなる照明関連装置。
【請求項２】
ランプシェードの骨組み部分全体をクリップのような形状にし、骨組み部分の２本一対の支柱（１）の中央部に取り付けた耐熱素材の滑り止め（２）によって、ランプ、ソケット、傘受けネジ部、コードなどに直接、挟み込むような取り付けを可能とし、前記支柱（１）の両端のピンチ（３）に備わったピン（４）に、ピンホール（７）を備えた傘（６）を取り付けられるようにし、前記ピン（４）を軸として、傘（６）を回転させた時に、継ぎ目が完全に接合でき、また容易に離すことができるように対極の磁石（８）を前記傘（６）の接合部に備えるようにし、前記の要領で傘（６）を可動・変形させることで直接・間接照明を切り替えて、多様・多彩な光の演出を可能とする方法。
【発明の詳細な説明】
【技術分野】
【０００１】  本発明は、一般的に使用されているＬＥＤや蛍光灯などの裸電球および裸電球の取り付け器具に対して、直接・間接照明の切り替え機能および、傘の簡単着せ替え機能を付加し、多様・多彩な光の演出を可能とした容易に取り付けられる照明関連装置に関するものである。
【背景技術】
【０００２】  従来のランプシェードは、コード付きソケットの傘受けネジ部と傘の金具が固定設置される構造であった。
【発明の概要】
【発明が解決しようとする課題】
【０００３】  従来のランプシェードは、電球を取り付けるコード付きソケットの傘受けネジ部に引っ掛ける形で固定して使用するため、取り付け・取り換えには高所での作業を要し、高齢者や背が低い人などには困難を伴い、また傘受けネジ部の形状とランプシェードの金具の形状によっては取り付けることができない場合もあった。【０００４】  また、前記のような構造であるため、直接照明から間接照明へ、またその逆に切り替えるなど光量の調整や光の演出をするためには傘自体か、調光ランプと調光ランプ対応器具に取り換える必要があった。
【課題を解決するための手段】
【０００５】  ピンチ（３）のつまみ部分にピン（４）と支柱（１）をそれぞれ取り付け、前記支柱（１）の反対側にも同様にピン（４）を備えたピンチ（３）を取り付けることで、２本で一対の支柱となり、前記支柱（１）中央部にシリコンなど耐熱性のある素材の滑り止め（２）を取り付けたランプシェードの骨組み部を用意する。前記ピン（４）に取り付けることができるように、ピンホール（７）を備えた傘（６）と、前記傘（６）が２つで一対として形成される場合、傘（６）両端の接合部を密着させるための対極一対の磁石（８）を取り付ける。  以上の構成よりなるランプシェード。
【発明の効果】
【０００６】  本発明を使用することにより、ランプシェードをランプおよびランプ取り付け装置に下方から大きなクリップで挟み込むように設置できるようになるため、格段に取り付け・取り換えが容易となり、ランプシェードの下方のピンで傘が設置できるため、傘の着せ替えも格段に簡単になった。また、傘を可動させることができるため、容易に直接・間接照明の切り替えはもちろん、傘を二重に取り付け、それぞれを回転・変形させるなどの工夫により、多様・多彩な光の演出を可能とした。
【図面の簡単な説明】
【０００７】
【図１】本発明の斜視図
【図２】［実施例］取り付け、傘の形状および回転・変形イメージの断面図
【発明を実施するための形態】
【０００８】  以下、本発明の実施の形態を図１に基づいて説明する。
【０００９】  クリップ状の骨組みの両端にピンチ（３）と、前記ピンチ（３）のつまみ部にピン（４）と支柱（１）がそれぞれ取り付けられており、前記支柱（１）の中央部には２つで一対の滑り止め（２）を備え、前記滑り止め（２）部に、電球、ソケット、傘受けネジ部、コードを挟んで取り付ける。傘部分が可動式でなく一体型の場合、傘をピン（４）に取り付けた状態で、前記の作業を行う。
【００１０】  前記ピン（４）に、傘（６）をピンホール（７）に通して取り付け、直接照明の場合は傘（６）上部の磁石（８）を接合させ、間接照明の場合は下部の磁石を接合させて切り替えて使用する。また手が届きにくい高所に設置した場合は、対極の磁力を持つ磁石を先端に備えた２本の棒などを用意し、傘の磁石（８）にそれぞれ吸引させて開閉させるか、予め傘の磁石部付近に紐などを取り付けておき、引くことで開閉させることもできる。
【００１１】  傘（６）の光の透過度やデザイン、模様などを工夫し、ピン（４）の外側と内側にそれぞれ傘（６）を取り付け、それぞれを回転・変形させると、４パターン以上の調光が可能となり、応用することで多様・多彩な光の演出を可能とする。
【符号の説明】
【００１２】１  支柱２  滑り止め３  ピンチ４  ピン５  磁石６  傘７  ピンホール８  磁石
【図１】
2018045982.tif 000003
【図２】
2018045982.tif 000004
(57)【要約】【課題】鼻と口を覆うマスクについて、マスク上部と鼻と頬骨の間に形成される隙間からの吐気漏れを軽減させることを簡易にすることを目的とする。【解決手段】薄膜片３０は、適度の柔軟性をもち、中央から端部が一部折りたたんだ状態でマスク本体１０の内側上辺部に設けてあり、上辺がマスク本体１０の上辺部と接合しており、この折りたたみ部３１を伸ばすと、薄膜片がゆがみ下辺部が膨らんだ状態となる。この膨らみにより、マスク上部と鼻と頬の間に形成される隙間を塞ぎ、この隙間からの吐気によるメガネの曇りを軽減させる。【選択図】図１
2018080432.tif 000002
【特許請求の範囲】
【請求項１】
マスク本体上辺部内側に、通気性がマスク本体より悪く、かつ適度に柔軟性がある薄膜片を有し、薄膜片上辺部とマスク本体上辺部は接合されており、薄膜片の両端部から中央途中までは折り曲げられており、この折り曲げ部を伸ばすことにより、薄膜片の下辺を膨らませる構造であることを特徴とするマスク。
【発明の詳細な説明】
【技術分野】
【０００１】  本発明は、鼻と口を覆うマスクにおいて、上部の隙間からの吐気によりメガネが曇ることを軽減させるマスクに関する。
【背景技術】
【０００２】  従来の一般的なマスクでは、鼻と口を覆うマスクにおいて、マスク上部と鼻と頬骨の間に形成される隙間から吐気が上昇し、吐気の水蒸気によりメガネが曇るという問題があった。【０００３】  このようなメガネの曇りを軽減ないし解消すべく、従来より幾つかの提案がなされている。【０００４】  特許文献１では、マスク上部に薄膜片を有し、この薄膜片を鼻に沿わせて立体的に広げることにより前記の隙間を塞ぐように図っている。
【先行技術文献】
【特許文献】
【０００５】
【特許文献１】  特許第６００７４２５号  広報
【発明の概要】
【発明が解決しようとする課題】
【０００６】  前述特許文献１に記載された方法では、使用時に薄膜片の両端部を下げると共に薄膜片をマスク本体に保持することにより、薄膜片の下辺を膨らませる構造であるが、使用時に薄膜片をマスク本体に保持することは使用時に煩雑な手間がかかると考えられる。
【課題を解決するための手段】
【０００７】  本発明は、このような事情に鑑みてなされたもので、薄膜片をあらかじめ膨らんだ状態から薄膜片を折りたたんだ状態としておく。使用時に折りたたみ部を伸ばして薄膜片の下辺を膨らませて鼻と口を覆うこととする。
【発明の効果】
【０００８】  本発明では、マスク本体と上辺部が接合した薄膜片の下辺が膨らみ、マスクを口鼻部に当てると膨らみは鼻と頬とマスク上辺の間に形成される隙間を減らし、メガネの曇りを軽減することができる。【０００９】  本発明のマスクでは、折りたたみ部を伸ばすだけで薄膜片の下辺が膨らむ構造であり、この構造により鼻と頬とマスク上辺で形成される隙間を塞ぐことを特徴とする。このため、煩雑な手間がかからずにマスク使用が出来、所期の効果が期待できる。
【図面の簡単な説明】
【００１０】
【図１】本発明の第１の実施の形態を示すプリーツ型マスクで薄膜片を膨らせる前の裏面図である
【図２】同上マスクであり薄膜片を膨らせて使用する時の裏面図である
【図３】同上使用する時の上から見た図である
【発明を実施するための形態】
【００１１】  マスク本体上辺部と薄膜片上辺部は接合さているが、薄膜片の膨らみの安定確保を図るため、薄膜片の両端側または下辺付近にも粘着剤の配置をしても良い。
【００１２】  マスク本体上辺部へ塑性変形材料を設け、併用しても良い。
【００１３】  薄膜片は、１枚であっても、左右に分割してもも良い。
【符号の説明】
【００１４】  １０  マスク本体
１１  耳掛紐
２０  接合部
３０  薄膜片
３１  薄膜片の折りたたみ部
【図１】
2018080432.tif 000003
【図２】
2018080432.tif 000004
【図３】
2018080432.tif 000005
(57)【要約】【課題】ダウンウエアの衿が汚れた場合、衿だけを洗うのは難しく、衿だけクリーニングするというのも不可能だった。【解決手段】ダウンウエアの衿を洗濯しやすいポリエステルやデニム等の素材で作成し、ボタンやファスナーを介してダウンウエアに取り付け、前記衿が汚れた場合、取り外して洗濯できる替え衿にする。【選択図】図２
2018080430.tif 000002
【特許請求の範囲】
【請求項１】
ダウンエアの衿を家庭において手洗いが容易なポリエステル、デニム等の素材で作成し、且つボタンやファスナーを介してダウンウエアに取り付けたり、取り外したりできる替え衿にすることを特徴とするダウンエアの替え衿。
【発明の詳細な説明】
【技術分野】
【０００１】  本発明は、ダウンウエアの替え衿の関するものである。
【背景技術】
【０００２】  最近、高齢化に伴って、髪を染める人が増え洋服の衿が汚れやすい傾向にある。ダウンウエアは保温のため髪の毛に衿が密着していることが多いため、特に汚れがつきやすい傾向にある。従来、ダウンウエアの衿が汚れた場合、汚れは落ちにくいけれどもウエア全体を洗っていた。また、あまりにも酷く汚れた場合は、ウエアごと買い替えるというのが一般的な対策として広く採用されていた。替え衿や付け衿のきく衣類は存在するが、それらはデザインを変えるためのものである。本発明は汚れを落とし、金銭的な節約を目ざすものであり、替え衿や付け衿によってデザインを変えたりしても、容易に汚れを落とすことができなければ限りなく衿を買い求めなければならないので、節約につながらない。
【発明の概要】
【発明が解決しようとする課題】
【０００３】ダウンウエアの衿が汚れた場合、髪を染める染料で汚れた場合が多く、汚れを落とすことは難しかった。衿だけを集中的に洗うのは難しいため、ウエア全体を洗うことが多く、汚れが酷い場合他は傷んでいなくても買い替えることも多かった。
本発明は、以上の問題点を解決するためになされたものである。
【課題を解決するための手段】
【０００４】ダウンウエアの衿を家庭において手洗いが可能なポリエステル、デニム等の素材で作成し且つボタンやファスナーを介して取り外し可能なものものにするとともに、洗濯でも汚れが落とせないほど汚れが酷くなった場合、替え衿として余分に付属させる。以上のような構成によりなるダウンウエアの替え衿。
【発明の効果】
【０００５】高齢化社会において、髪の毛を染める人が増えそれとともに、比較的高価で洗濯が難しいダウンウエアの衿が毛染め剤で汚れる機会が増えている中、ダウンウエアから簡単に衿だけを取り外して家庭において手軽に洗濯できたり、洗濯しても落ちないほど汚れが酷い場合は、衿だけを新しいものに替えることができるということは、金銭的な節約効果が高いし、全体を洗う手間を衿だけ取り外して洗えば済むという時間や労働力の節約にもつながる。【０００６】衿が汚れるという理由で、汚れ目が目立たない色のウエアを選んでしまう。衿が取り替えられるということになれば、色々な色のウエアを買おうとする人が増えてくる。
【図面の簡単な説明】
【０００７】
【図１】本発明の正面図
【図２】本発明を取り付けた状態図
【発明を実施するための形態】
【０００８】以下、本発明の実施の形態を説明する。
（イ）洗濯しやすいポリエステル、デニム等の素材で作られた図１はボタンホール（２）のついた替え衿（１）。
（ロ）ダウンウエア（３）にボタン（４）で取り付けられた替え衿（１）。
本発明は以上のような構造である。
本発明を使用するときは、ダウンウエア（３）のボタン（４）を外し、替え衿（１）を取り外し洗濯したり、洗濯でも落ちないほど汚れが酷い場合別の衿に替えたりする。
【符号の説明】
【０００９】１替え衿、２ボタンホール、３ダウンウエア、４ボタン。
【図１】
2018080430.tif 000003
【図２】
2018080430.tif 000004
(57)【要約】【課題】      囲炉裏をこたつと組み合わせる例はあったが、電気機械を利用する事がもとめられたり、安全性や普及の簡易性に問題があった。【解決手段】      囲炉裏をそのままテーブル状にし、電子機具を使用せずに囲炉裏本来の暖かさと温もりを用いて、下部の掘りごたつの暖にする事で合理化を図り、電気機器を使用せずに日本独特の暖かさと温もりを提供し、利用者の身体全体を優しく温める事に成功した、囲炉裏式掘りごたつ。【選択図】図１
2018080903.tif 000002
【特許請求の範囲】
【請求項１】
囲炉裏をテーブル状にし、掘りごたつと一体化しつつ、電気を使わずに、囲炉裏の暖かさを適度な熱伝導物体を介して足元に熱を伝道する事により、上部の囲炉裏と下部の掘りごたつ両方で身体全体で暖を取る事が出来るようにした囲炉裏式掘りごたつ。
【発明の詳細な説明】
【技術分野】
【０００１】本発明は旅館や家宅における調理兼暖房器具に関するものである。
【背景技術】
【０００２】寒い時期や寒冷地における暖房器具として電気又は電気代金を利用するものが多く、それに大きく頼っていた。今までの囲炉裏式掘りごたつでは出来なかった、広く一般的に使用でき、より効率的且つ合理的で、実用可能な物を必要としていた。
【先行技術文献】
【０００３】
【特許文献】
【特許文献】特開２００１−４１３９
【発明の概要】
【発明が解決しようとする課題】
【０００５】今までの囲炉裏式掘りごたつでは、電気や特別な機器を必要としていた。囲炉裏式掘りごたつは便利なのに一般化、普及化が出来なかった。
【課題を解決するための手段】
【０００６】囲炉裏をテーブル状にし、掘りごたつと一体化しつつ、囲炉裏の暖かさを、適度な熱伝導物体を介す事により足元からも暖を取り、上部の囲炉裏と下部の掘りごたつ両方で身体全体で暖を取る事が出来るようにした。
【発明の効果】
【０００７】今までの囲炉裏式掘りごたつでは出来なかった、電気機械を使用しない、日本独特の温もりを感じさせる事、かつ安全・単純に身体を温める事が出来、合理化を実現することが出来た。
【図面の簡単な説明】
【０００８】
【図１】本発明を横から見た断面図。
【産業上の利用可能性】
【０００９】設備コスト、運営コストが掛からないので、一般家屋だけでなく寒冷地等の旅館や建造物に利用する事も出来る。
【図１】
2018080903.tif 000003
(57)【要約】      （修正有）【課題】水蒸気を用いた回転動力発生方法において、ピストン方式と蒸気タービン方式に対してより動力発生及び発電効率の高い方法を提供する。本方法は小規模な発電事業に適用可能である。【解決手段】シリンダーブロック１の左右にそれぞれの円形シリンダー１０を設け、円形シリンダー１０の内部に、クランク部にベアリング７及びメタルを用いて回転体２が動設されているクランクシャフト９、６を設置する。左右のシリンダー内部Ａ、Ｂ、Ｃの中間部に蒸気通過穴４を有した平行移動弁３を設ける。蒸気圧力を回転体２の円周面で受けることで回転体が円形シリンダー１０の内部を回転しながら移動しクランクシャフトを回転することで、金属摩擦を極力低く抑えている。【選択図】図１
2018080692.tif 000002
【特許請求の範囲】
【請求項１】
左右にそれぞれの円形シリンダー１０、を設けたシリンダーブロック１、内部に、あらかじめクランク部にベアリング７、及びメタルを用いて回転体２、が動設されているクランクシャフト９，６、を図１、に示す構造に設置する。さらに  左右のシリンダー内部Ａ、Ｂ、Ｃ、の中間部に蒸気通過穴４、を有した平行移動弁３、が設けられている。などの構造の水蒸気圧力及び気体圧力を用いた回転動力発生方法。
【請求項２】
本発明方法の装置は水蒸気の圧力を利用して回転動力を得るのであるが、クランクシャフト９、に外部からの動力を加え駆動することでポンプの作用を有している。したがって、外部からの動力を用いて液体及び気体を移動する方法。
【発明の詳細な説明】
【技術分野】
【０００１】  本発明はバイオマス発電の一環である。水蒸気を利用しての発電には一般的に蒸気タービンを用いての発電が行われている。しかし、この方法ではタービンの構造的性質状大掛かりな発電システムになる。本方法は大規模発電ではなく、もう少し小規模に発電事業を行う方法である。
【背景技術】
【０００２】  水蒸気発電方法には水蒸気タービン及びピストン方式の方法が一般的である。本方法はピストン方式とタービン方式との中間的性質を示す発電方法である。
特許文献に付きましては、調べましたが本発明に関連した同種の文献はありませんでした。
【発明の開示】
【発明が解決しようとする課題】
【０００３】  水蒸気を用いた回転動力発生方法は主にピストン方式と蒸気タービン方式がある。水蒸気方式では角度を持ったタービンの羽に蒸気を衝突させることで動力を発生する。さらにピストン方式ではピストンの上部に蒸気の圧力を受けることで動力を発生させている。本方法はこれらの方法に対してより動力発生及び発電効率の高い方法である。さらに  本方法は小規模な発電事業を行えるなどの特徴を持っている。
【課題を解決するための手段】
【０００４】  本方法での、動力発生の基本作用はピストン方式と同様である。ピストンの上部で蒸気圧力を受けているのに対して本方法では同様な圧力を回転体２、の円周面で受けている。したがって、水蒸気の圧力を受けるという意味からは同じである。
本方法の特徴は、蒸気圧力を回転体２、の円周面で受けることで回転体が円形シリンダー１０、内部を回転しながら移動することで金属摩擦係数を極力低く抑えている。つまり、本方法の特徴は金属摩擦を少なくすることで回転に伴う抵抗力を低く抑えている。
【発明の効果】
【０００５】  従来のバイオマス発電事業において見られるようにタービンを用いた方法では物理的にどうしても大型発電事業になってしまう。本装置を用いての方法では比較的小規模な発電事業が可能である。さらに、シリンダーピストン方式においては往復運動を用いるためエネルギー転換効率が低くなると同時にシリンダーとピストンの摩擦面積が大きくなる。したがって、本発明の回転動力発生方法は従来の方法に対して動力発生に対するエネルギー転換効率が優れている。
【発明を実施するための最良の形態】
【０００６】  本発明の発電方法は小規模発電事業が可能である。現在試験的に行われている本装置の実証実験では籾殻やチップダストを燃焼させた熱エネルギーを用いて水蒸気を作ると同時にその水蒸気を用いて本装置を駆動させ発電を行っている。したがって、我が日本国内で保有する木質やもみ殻の燃焼熱を用いての小規模発電事業が可能になる。
【実施例】
【０００７】  籾殻燃焼機を用いて籾殻とチップダストを混合した燃料を燃焼させて水蒸気を発生させる。発生した水蒸気を本発明装置の蒸気ノズル５、から噴射することで回転体２、が回転運動を起こす。この時回転体２、では、シリンダー内Ａ、から水蒸気圧力を受ける。さらに、シリンダー内Ｂ、では、前工程で使われた水蒸気を同時に排出穴から排出する。などの工程が左右のシリンダー内で行われることで連続回転動力が発生する。発生動力を発電機に連動することで連続発電が起きる。
【産業上の利用可能性】
【０００８】  我が日本国において化石燃料などの資源は産出されません。しかし、森林及び籾殻は大量に有している。したがって、籾殻を含めたバイオマス燃料の有効活用は重要視される。また、化石燃料使用に伴う二酸化炭素の大量発生は温暖化問題と共に環境破壊課題を起こしている。
本発明の装置は、バイオマス燃料を用いることでカーボンニュトラル効果を得ることが出来るとともに二酸化炭素の発生を抑えることが出来る。などの効果により時代に適合した発電事業が展開できる。
【図面の簡単な説明】
【０００９】
【図１】  本発明装置の断側面図
【図２】  本発明装置の断平面図
【符号の説明】  １、    シリンダーブロック    ２、    回転体
３、    平行移動弁            ４、    蒸気通過穴
５、    蒸気ノズル            ６、    クランクシャフト
７、    ベアリング            ８、    蒸気排出穴
９、    クランクシャフト    １０、    円形シリンダー
１１、    歯車
Ａ      シリンダー内部（蒸気圧力を受けている状態）
Ｂ      シリンダー内部（蒸気排出工程）
Ｃ      作用の中間点
【図１】
2018080692.tif 000003
【図２】
2018080692.tif 000004